(57)【要約】      （修正有）【課題】紙の文書、書籍等の文書を容易に電子化する画像処理装置を提供し、業務の効率化に寄与する。【解決手段】画像処理装置は、第一実文書を読取って第一画像データを生成する第一読取手段と、第二実文書を読取って第二画像データを生成する第一読取手段と異なる第二読取手段と、第一読取手段によって生成された第一画像データと第二読取手段によって生成された第二画像データとを一体に合成する手段とを備える。【選択図】なし【特許請求の範囲】
【請求項１】
第一実文書を読取って第一画像データを生成する第一読取手段と、
第二実文書を読取って第二画像データを生成する前記第一読取手段と異なる第二読取手段と、
前記第一読取手段によって生成された前記第一画像データと前記第二読取手段によって生成された前記第二画像データとを一体に合成する手段と
を備える画像処理装置。
【請求項２】
第一の実文書を検出して第一の信号を出力する第一のセンサーと、
前記第一のセンサーを備える第一の読取手段と、
第二の実文書を検出して第二の信号を出力する第二のセンサーと、
前記第二のセンサーを備える第二の読取手段とを備え、
前記第一実文書を読み取って第一画像データを生成し、前記第二実文書を読み取って第二画像データを生成するスキャナと、
表示手段とユーザ入力手段を備えたユーザインターフェースと、
コントローラとを備える画像処理装置において、
前記コントローラが、
前記第一信号に基づき、
前記第一読取手段に、前記第一実文書を読取らせて前記第一画像データを作らせ、
前記第一画像データから前記第一画像ファイルを生成し、
前記表示手段に読取動作の継続要否を選択するためのプロンプトを表示し、
前記ユーザ入力手段を通して、読取動作の継続を表すユーザ入力を受け取り、
前記ユーザ入力と前記第二信号に基づき、
前記第二読取手段に、前記第二実文書を読取らせて前記第二画像データを作らせ、
前記第二画像データから前記第二画像ファイルを生成し、
前記第一画像ファイルと前記第二画像ファイルを一体に合成する、
画像処理装置。
【請求項３】
前記第一画像ファイルと前記第二画像ファイルを一体に合成した合成画像ファイルを、ユーザが指定する送信先に送信する
請求項２に記載の画像処理装置。
【請求項４】
前記第一画像データの生成に関する設定入力および前記第二画像データの生成に関する設定入力それぞれに、モノクロ読取とカラー読取の選択、読取解像度、実文書のサイズ、のうちひとつ以上を含む
請求項１乃至３の一項に記載の画像処理装置。
【請求項５】
複数の読取手段から選択された読取手段によって文書を読取るステップと、
読取った文書から画像データを生成するステップと、
このステップによって生成された複数の画像データを一つの画像データに合成するステップと、
前記合成された合成画像データを、ユーザが指定する形式に変換するステップと
を備える画像処理方法。
【発明の詳細な説明】
【技術分野】
【０００１】
本発明の実施形態は、画像処理装置に関する。
【背景技術】
【０００２】
画像処理装置には、プリンタ、コピー機、スキャナ、電子メール装置などがある。これらの機能のうち二つ以上の機能を備えた装置がオフィスで使用されており、MFP(multifunction peripheral)などと呼ばれる。
【０００３】
スキャナはMFPを構成する一つの要素である。スキャナから文書を読取、コピー、ファクシミリ送信、電子ファイル化などを行う。通常は、読取動作を行う度に、新たに電子文書が作成されたり、あるいはファクシミリ送信が行われたりする。
しかし、ユーザが複数の文書を読み取って一つのファイルを作りたい場合に、MFPには追加読取機能があり、最初に読み取った文書と次に読み取った文書を一つのファイルに合成して記憶装置に格納するか、または、ファクシミリやe-メールの添付ファイルとして所望の相手に送ることなどができる。しかし、複数の読み取った文書を一つのファイルに合成する作業は、煩雑で面倒であった。
【先行技術文献】
【特許文献】
【０００４】
【特許文献１】特許第３５７６０８８号
【特許文献２】特許第４５５０１９９号
【発明の概要】
【発明が解決しようとする課題】
【０００５】
紙の文書、書籍等の文書を容易に電子化する画像処理装置を提供し、業務の効率化に寄与する。
【課題を解決するための手段】
【０００６】
この明細書に記載の画像処理装置は、文書を読み取って電子ファイルを生成する機能を持つMFPである。
この画像処理装置は、
第一実文書を読取って第一画像データを生成する第一読取手段と、
第二実文書を読取って第二画像データを生成する前記第一読取手段と異なる第二読取手段と、
前記第一読取手段によって生成された前記第一画像データと前記第二読取手段によって生成された前記第二画像データとを一体に合成する手段と
を備えている。
【図面の簡単な説明】
【０００７】
【図１】MFPのハードウェアのブロック図の一例である。
【図２】スキャナの構造図の一例である。
【図３】スキャナのADFを上げて手置き読取部に文書を置いた図の一例である。
【図４】追加読取動作のフローチャートの一例である。
【図５】MFPの外観と追加読取動作の画面表示の一例である。
【図６】MFPの外観と追加読取動作の画面表示の一例である。
【図７】MFPの外観と追加読取動作の画面表示の一例である。
【図８】追加読取動作のソフトウェア・モジュール図の一例である。
【発明を実施するための形態】
【０００８】
この発明の実施形態の一例について説明する。
【０００９】
図１は、MFPのハードウェアのブロック図の一例である。
コントローラ401は、プロセッサ402を持ち、プロセッサ402には、不揮発性メモリーROM 404や、書き込み読み出し可能メモリーRAM 406等がデータバス412を介して接続される。
【００１０】
プロセッサ402は記憶装置I/F 408を経由して記憶装置416にデータを読み書き可能である。記憶装置416は、ハードディスク、光ディスク、固体ディスク(Solid State Disk)、クラウド記憶装置、その他当業者が適宜選択する記憶装置により構成される。
【００１１】
プロセッサ402は、データバス412を介してネットワークI/F 410と接続され、有線ネットワークI/F 414を介して有線ネットワーク420に接続されるか、あるいは無線ネットワークI/F 418を介して無線ネットワーク421に接続される。
【００１２】
無線ネットワーク421には、セルラー電話回線、Wi-Fi、ブルートゥース(Bluetooth)、NFC(Near Field Communication)、ワイヤレスUSB、衛星電話回線、その他がある。有線ネットワークには、イーサネット、USB、IEEE 1394(Fire Wire)、アップル・ライトニング(Apple Lightning)、電話回線、その他がある。
【００１３】
プロセッサ402は、データバス412を通してユーザI/F 419と接続され、表示装置、キーボード、マウス、トラックボール、タッチスクリーン、その他とデータ通信が可能である。
【００１４】
表示装置とキーボードは、一例として図５の116aや116bのように構成されていて、タッチスクリーン120に画像を表示することの他に、タッチスクリーン120に表示した画像にユーザが触れたことを検出して、設定の選択や、指示の入力を受け取ることができる。
【００１５】
画像入出力I/F 422は、データバス412を介して、画像入出力装置450とデータ通信が可能である。
【００１６】
画像入出力装置450は、スキャナ442、印字機構444が組み合わさって構成される。
【００１７】
スキャナ442には、ADF(Automatic Document Feeder)15に文書が置かれたことを検出する紙センサーA 448と、手置き読取部112に文書が置かれたことを検出する紙センサーB 449を具備する。
【００１８】
図２はスキャナ442の構造図の一例である。スキャナ442は、ADF 15とスキャナ本体17から構成される。
【００１９】
文書DがADF 15のトレイ108に置かれると、紙センサーA 448が検出し、スキャナ442のADF読取モードによって文書Dを読み取る。
【００２０】
文書DをADF読取モードで読み取るとき、光源ユニット18がADF 15の読取窓22の位置に移動する。光源ユニット18は、ランプ181と反射ミラー182が組み合わさって構成される。文書DをADF 15の搬送ローラ43、44、47が読取窓22まで搬送すると、ランプ181から出た光が文書Dの表面に入射し、反射した光は、反射ミラー182、191、192で反射されて、集光レンズ20を通してCCD(Charge Coupled Device)センサー21で画像信号に変換され、画像入出力I/F 422を経由してプロセッサ402に送られる。搬送ローラ49、52、53が文書Dを排出トレイ41まで搬送すると、文書Dの始端から終端まで読取窓22を通過するので、文書Dの全面が読み取られて画像信号に変換される。
【００２１】
文書Dを手置き読取部112に置いて読み取るときは、図３に示すように、ADF 15をヒンジ16を回転中心としてup方向に上げると、ヒンジセンサー11が、ADF 15の上昇を検出する。手置き読取部112の上に文書Dを置いてADF 15を下げると、ADF 15とスキャナ本体17が下がりきらず空間が空いているときに、ヒンジセンサー11がADF 15の下降を検出する。このタイミングで原稿センサー10が、手置き読取部112に文書Dが置かれていることを検出し、スキャナの手置き読取モードによって文書Dを読み取る。
【００２２】
図１の紙センサーB 449は、上記のヒンジセンサー11によるADF 15の下降検出と、原稿センサー10による文書Dの検出の組み合わせにより、文書Dが手置き読取部112に置かれたことを検出する機能を表す。
【００２３】
文書Dを手置き読取モードで読み取るとき、光源ユニット18が手置き読取部112の一端に移動する。ランプ181から出た光が文書Dの表面に入射し、反射した光は、反射ミラー182、191、192で反射されて、集光レンズ20を通してCCDセンサー21で画像信号に変換され、画像入出力I/F 422を経由してプロセッサ402に送られる。光源ユニット18が、手置き読取部112に沿って文書Dの始端から終端まで移動するので、文書Dの全面が読み取られて画像信号に変換される。
詳細は、米国特許第8,605,343号を参照されたい。
【００２４】
図４は、追加読取動作のフローチャートの一例である。
【００２５】
追加読取操作を開始する前は、図５の116aのようにタッチパネル120に表示されている。ユーザが第一の文書Dをスキャナ442の所定の位置に置いて、スキャンボタン122を押すと、処理手順がブロック604から開始し、ブロック608に進む。
【００２６】
ブロック608のとき、タッチパネルには図５の116bの表示124が表示される。読取に関する設定事項には、カラーモード、読取解像度、文書の紙サイズ、回転角度、その他の設定があり、ユーザは希望の設定に変更できる。例えば、タッチスクリーンにあるカラーモードボタン125をタッチすると、文書をカラーまたは白黒で読み取ることを選択して設定できる。
【００２７】
ユーザが読取に関する設定事項を選択し、OKボタン126を押すとブロック612に進む。
【００２８】
ブロック612で、第一の文書Dがスキャナ442のADF 15のトレイ108に置かれているのを紙センサーA 448が検出すると、スキャナ442の光源ユニット18が読取窓22の位置に移動し、ADF 15の搬送ローラ43、44、47、49、52、53が文書Dを搬送し、第一の文書Dが読取られる。
ブロック612で、第一の文書Dがスキャナ442の手置き読取部112に置かれているのを紙センサーB 449が検出する、すなわち、第一の文書Dがスキャナ442の手置き読取部112に置かれ、ヒンジセンサー11がADF 15の下降を検出したとき原稿センサー10が第一の文書Dを検出すると、スキャナ442の光源ユニット18が手置き読取部112に沿って第一の文書Dの始端から終端まで移動し、第一の文書Dが読取られる。
第一の文書Dを読取った画像データから、第一のJPEGファイルが生成される。ファイルの形式はJPEG以外でも構わない。第一のJPEGファイルに番号が付与される。
【００２９】
ブロック616に進むと、第一のJPEGファイルから、図６の116cのサムネイル画像200が生成され、タッチパネルに表示される。サムネイル画像200に番号が付与される。
【００３０】
ブロック620で、ユーザがサムネイル画像200を見て読取結果に不満足の意思をユーザI/F 419から入力した場合は、当該文書の読取動作がブロック624でキャンセルされ、ブロック604に戻って処理は最初からやり直しとなる。
ブロック620で、ユーザが読取結果に満足の意思をユーザI/F 419から入力した場合は、ブロック628に進む。
【００３１】
ブロック628に進んで、図６の116cの追加スキャンボタン128を表示して、ユーザに追加の読取が必要か否かの指示を求める。
【００３２】
ユーザが追加の読取を行う場合は、第二の文書Dをスキャナ442の所定の位置に置いて、追加スキャンボタン128をタッチすると、図６の116dの表示124が表示される。
【００３３】
ブロック632でユーザが読取の設定を変更することを選択した場合は、処理手順はブロック608に戻って読取設定の入力を受ける。例えば、ユーザがタッチスクリーン120にあるボタン228をタッチすると、読み取った文書をユーザの望む向きに回転させることができる。ユーザがOKボタン126を押すと、処理手順はブロック612に進む。
【００３４】
ブロック632でユーザが読取の設定を変更しないことを選択した場合は、処理手順はブロック612に進む。
【００３５】
ブロック612で、第二の文書Dがスキャナ442のADF 15のトレイ108に置かれているのを紙センサーA 448が検出すると、スキャナ442の光源ユニット18が読取窓22の位置に移動し、ADF 15の搬送ローラ43, 44, 47, 49, 52, 53が駆動され、第二の文書Dが読取られる。
ブロック612で、第二の文書Dがスキャナ442の手置き読取部112に置かれているのを紙センサーB 449が検出する、すなわち、第二の文書Dがスキャナ442の手置き読取部112に置かれ、ヒンジセンサー11がADF 15の下降を検出したとき原稿センサー10が第二の文書Dを検出すると、スキャナ442の光源ユニット18が手置き読取部112に沿って第二の文書Dの始端から終端まで移動し、第二の文書Dが読取られる。
【００３６】
第二の文書Dを読取った画像データから、第二のJPEGファイルが生成される。第二のJPEGファイルに新たな番号が付与される。
【００３７】
ブロック616に進むと、第二のJPEGファイルから、図７の116eのサムネイル画像300が生成され、タッチパネル120に表示されているサムネイル画像200のあとに追加して表示される。サムネイル画像300に新たな番号が付与される。図７の116eで、サムネイル画像200とサムネイル画像300が異なる向きに表示されているのは、ユーザが選択ボタン228によって画像を回転させたことによるものである。
【００３８】
ブロック620で、ユーザがサムネイル画像300を見て読取結果に不満足の意思をユーザI/F 419から入力した場合は、当該文書の読取動作がブロック624でキャンセルされ、ブロック604に戻って処理は最初からやり直しとなる。
ブロック620で、ユーザが読取結果に満足の意思をユーザI/F 419から入力した場合は、ブロック628に進む。
【００３９】
ブロック628でユーザが更に追加読取を要求すると、前記と同様に文書の読取が行われ、タッチパネル120にサムネイル画像が追加される。全てのサムネイル画像が画面に表示しきれなくなった場合には、画面をスクロールできる。
【００４０】
ブロック628でユーザが追加読取を要求しない場合は、ブロック634に進む。
【００４１】
ブロック634で、第一のJPEGファイルと第二のJPEGファイルが、それぞれのJPEGファイルに付与された番号の順に合成され、合成JPEGファイルが生成される。608から628のステップが３回以上繰り返されて、JPEGファイルが三本以上生成された場合であっても、それぞれのJPEGファイルに付与された番号の順に合成され、合成JPEGファイルが生成される。
タッチパネルに、図７の116fの表示がされ、ユーザがタッチパネル120を操作してファイル形式を選択すると、合成JPGファイルが指定されたファイル形式に変換され、最終画像ファイルとなる。ファイル形式には、様々なファイル形式が使用でき、例を挙げると、テキスト、ベクトルや画素に基づいた形式がある。具体的には、PDF、Tiff、Word、Excel、PowerPoint、等がある。
【００４２】
図７の116fの表示で、ユーザが最終画像ファイルの送信先を指定すると、MFPは指定された送信先に最終画像ファイルを送り、ブロック642で処理手順が終了する。
【００４３】
図８は、追加読取機能を行うソフトウェアのモジュールを表す。MFPに内蔵したコントローラ401の上で稼働するソフトウェアが、前記した追加読取機能を実行する。
【００４４】
読取モジュール510が、選択された読取モードによって文書の読取を行い、JPEGファイルを生成する。読取モジュール510は、追加読取のための追加の文書についても、選択された読取モードによって文書の読取を行い、その文書についてもJPEGファイルを生成する。
【００４５】
読取プレビューモジュール520が、JPEGファイルからサムネイル画像を生成し画面に表示する。
【００４６】
画像管理モジュール530が、個々のサムネイル画像およびJPEGファイルに番号を付与するなどの管理処理を行う。
【００４７】
画像処理モジュール540が、全てのJPEGファイルを一つのJPEGファイルに合成し、更にユーザが指定するファイル形式に変換し、最終画像ファイルを生成する。
【００４８】
出力モジュール550が、最終画像ファイルを、メモリー、ディスク記憶装置、フラッシュドライブ、e-メールアドレス、有線通信網上の場所、無線通信網上の端末、テザリングで接続された端末など、ユーザが指定する送付先に送る。
【００４９】
本願の実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明の均等の範囲に含まれる。
【符号の説明】
【００５０】
104…MFP
401…コントローラ
402…プロセッサ
120…タッチスクリーン
422…画像処理装置インターフェース
444…印字機構
442…スキャナ
15…ADF
17…スキャナ本体
112…手置き読取部
448…紙センサーA
449…紙センサーB
11…ヒンジセンサー
10…原稿センサー
D…文書
108…トレイ
18…光源ユニット
181…光源ランプ
20…集光レンズ
21…CCDセンサー
【図１】
2019036964.tif 000002
【図２】
2019036964.tif 000003
【図３】
2019036964.tif 000004
【図４】
2019036964.tif 000005
【図５】
2019036964.tif 000006
【図６】
2019036964.tif 000007
【図７】
2019036964.tif 000008
【図８】
2019036964.tif 000009